(57)【要約】      （修正有）【課題】接眼検知手段を用いた装置本体の本体表示部とファインダ内表示部との間の画像の表示切り替えを撮影者に違和感を与えることなくスムーズに行う。【解決手段】撮像装置１は、結像した被写体像を光電変換して画像データとして出力する撮像手段１３と、画像データを本体表示部４とファインダ部１７に設けられたファインダ内表示部６との間で切り替えて表示する表示制御手段１２と、ファインダ部１７に被検知物体が接近したときに出力値が増大する接眼検知手段７とを備える。表示制御手段１２は、ファインダ部１７に被検知物体が接近して接眼検知手段７の出力値が第１の閾値を超えたときに、本体表示部４からファインダ内表示部６に画像の表示を切り替え、ファインダ部１７から被検知物体から離れて接眼検知手段７の出力値が第１の閾値より大きい第２の閾値以下になったときに、ファインダ内表示部６から本体表示部４に画像の表示を切り替える。【選択図】図２
2017085353.tif 000002
【特許請求の範囲】
【請求項１】
被写体光束が結像して結像した被写体像を光電変換して画像データとして出力する撮像手段と、
前記画像データを装置本体に設けられた本体表示部とファインダ部に設けられたファインダ内表示部との間で切り替えて表示する表示制御手段と、
前記ファインダ部に被検知物体が接近したときに出力値が増大する接眼検知手段と、を備え、
前記表示制御手段は、前記ファインダ部に前記被検知物体が接近して前記接眼検知手段の出力値が第１の閾値を超えたときに、前記本体表示部から前記ファインダ内表示部に画像の表示を切り替え、前記ファインダ部から前記被検知物体から離れて前記接眼検知手段の出力値が前記第１の閾値より大きい第２の閾値以下になったときに、前記ファインダ内表示部から前記本体表示部に画像の表示を切り替えることを特徴とする撮像装置。
【請求項２】
前記ファインダ内表示部の視度を調整する視度調整部の操作状態を検出する視度調整検出手段を備え、
前記表示制御手段は、前記ファインダ内表示部から前記本体表示部に画像の表示を切り替えた後に、前記視度調整検出手段により前記視度調整部の操作が検出された場合に、前記接眼検知手段の出力値が前記第２の閾値より小さい所定値以内で、かつ前記視度調整部の操作が検出されてから所定時間が経過したときに、前記第２の閾値を前記接眼検知手段の出力値に応じて変更することを特徴とする請求項１に記載の撮像装置。
【請求項３】
前記表示制御手段は、前記ファインダ内表示部から前記本体表示部に画像の表示を切り替えた後に、レリーズボタンの操作途中で第１レリーズスイッチがオンとなって撮影準備動作が開始された場合に、前記接眼検知手段の出力値が前記第２の閾値より小さい所定値以内で、かつ前記第１レリーズスイッチがオンとなってから所定時間が経過したときに、前記第２の閾値を前記接眼検知手段の出力値に応じて変更することを特徴とする請求項１に記載の撮像装置。
【請求項４】
前記表示制御手段は、前記ファインダ部に前記被検知物体が接近して前記接眼検知手段の出力値が前記第１の閾値を超え、かつ前記接眼検知手段の出力値が増加変化速度の閾値を超えて増加しているとき、前記本体表示部から前記ファインダ内表示部に画像の表示を切り替えることを特徴とする請求項１乃至３のいずれか一項に記載の撮像装置。
【請求項５】
前記表示制御手段は、前記ファインダ部に前記被検知物体が接近して前記接眼検知手段の出力値が前記第１の閾値、及び前記第２の閾値を超え、かつ前記接眼検知手段の出力値が前記増加変化速度の閾値以下で増加しているとき、前記本体表示部から前記ファインダ内表示部に画像の表示を切り替えることを特徴とする請求項４に記載の撮像装置。
【請求項６】
前記ファインダ部から前記被検知物体から離れて前記接眼検知手段の出力値が前記第２の閾値以下で、かつ前記接眼検知手段の出力値が減少変化速度の閾値を超えて減少しているとき、前記ファインダ内表示部から前記本体表示部に画像の表示を切り替えることを特徴とする請求項１乃至５のいずれか一項に記載の撮像装置。
【請求項７】
前記ファインダ部から前記被検知物体から離れて前記接眼検知手段の出力値が前記第１の閾値、及び前記第２の閾値以下で、かつ前記接眼検知手段の出力値が前記減少変化速度の閾値以下で減少しているとき、前記ファインダ内表示部から前記本体表示部に画像の表示を切り替えることを特徴とする請求項６に記載の撮像装置。
【請求項８】
被写体光束が結像して結像した被写体像を光電変換して画像データとして出力する撮像手段と、ファインダ部に被検知物体が接近したときに出力値が増大する接眼検知手段と、を備える撮像装置の制御方法であって、
前記画像データを装置本体に設けられた本体表示部とファインダ部に設けられたファインダ内表示部との間で切り替えて表示する表示制御ステップを備え、
前記表示制御ステップは、前記ファインダ部に前記被検知物体が接近して前記接眼検知手段の出力値が第１の閾値を超えたときに、前記本体表示部から前記ファインダ内表示部に画像の表示を切り替え、前記ファインダ部から前記被検知物体から離れて前記接眼検知手段の出力値が前記第１の閾値より大きい第２の閾値以下になったときに、前記ファインダ内表示部から前記本体表示部に画像の表示を切り替えることを特徴とする撮像装置の制御方法。
【請求項９】
請求項８に記載の前記表示制御ステップをコンピュータに実行させることを特徴とするプログラム。
【発明の詳細な説明】
【技術分野】
【０００１】
本発明は、接眼検知機能を有する例えばデジタルカメラ等の撮像装置における表示制御技術に関する。
【背景技術】
【０００２】
デジタルカメラ等の撮像装置では、ファインダを覗く、或いはカメラに顔を近づけたことを例えばファインダに配置した光学センサで検知して、カメラの撮影準備動作を開始する接眼検知機能を有するものがある。
【０００３】
例えば、撮影者がファインダに接眼動作を行っているか否かを判別する接眼検知手段を設け、接眼動作を行ったとき、撮影情報を表示する液晶表示器の照明手段を消灯させるカメラが開示されている（特許文献１）。また、撮影者が光学ファインダを使用しているか否かを検知する検知手段と、撮像データを表示する表示手段とを有し、接眼動作を行ったとき、表示手段のバックライトを点灯または消灯させるカメラが開示されている（特許文献２）。更に、撮影モードとその他のモードを有し、接眼を検知したら、再生モードから撮影モード等に切り替えるカメラが開示されている（特許文献３）。
【先行技術文献】
【特許文献】
【０００４】
【特許文献１】特許第３２７８２３０号公報
【特許文献２】特開２０００−１６５７０５号公報
【特許文献３】特開２００１−２５１５３８号公報
【発明の概要】
【発明が解決しようとする課題】
【０００５】
上記特許文献１〜３は、いずれも接眼検知機能を有するものの、カメラの背面側及びファインダ内にそれぞれ液晶パネルを有する撮像装置に適用すると、次の不具合が生じる。
【０００６】
即ち、撮影者がファインダに対して接眼動作を行っていることを接眼検知手段で検知すると、カメラ背面側の液晶パネルを消灯してからファインダ内の液晶パネル（ＥＶＦ）を点灯する。このため、ユーザがファインダ覗き込んだ場合に、ファインダ内の液晶パネル（ＥＶＦ）が点灯していないことがある。
【０００７】
逆に、撮影者がファインダから離れてカメラ背面側の液晶パネルを見ようとした場合、撮影者がファインダから離れたことを接眼検知手段で検知すると、ファインダ内の液晶パネル（ＥＶＦ）を消灯してからカメラ背面側の液晶パネルを点灯する。このため、ユーザがカメラ背面側の液晶パネルを見た場合に、画像が表示されていないことがある。このように、カメラ背面側の液晶パネルとファインダ内の液晶パネル（ＥＶＦ）との間の表示遷移に違和感が生じてしまう不具合がある。
【０００８】
そこで、本発明は、接眼検知手段を用いた装置本体の本体表示部とファインダ内表示部との間の画像の表示切り替えを撮影者に違和感を与えることなくスムーズに行うことができる表示制御技術を提供することを目的とする。
【課題を解決するための手段】
【０００９】
上記目的を達成するために、本発明は、被写体光束が結像して結像した被写体像を光電変換して画像データとして出力する撮像手段と、前記画像データを装置本体に設けられた本体表示部とファインダ部に設けられたファインダ内表示部との間で切り替えて表示する表示制御手段と、前記ファインダ部に被検知物体が接近したときに出力値が増大する接眼検知手段と、を備え、前記表示制御手段は、前記ファインダ部に前記被検知物体が接近して前記接眼検知手段の出力値が第１の閾値を超えたときに、前記本体表示部から前記ファインダ内表示部に画像の表示を切り替え、前記ファインダ部から前記被検知物体から離れて前記接眼検知手段の出力値が前記第１の閾値より大きい第２の閾値以下になったときに、前記ファインダ内表示部から前記本体表示部に画像の表示を切り替えることを特徴とする。
【発明の効果】
【００１０】
本発明によれば、接眼検知手段を用いた装置本体の本体表示部とファインダ内表示部との間の画像の表示切り替えを撮影者に違和感を与えることなくスムーズに行うことができる。
【図面の簡単な説明】
【００１１】
【図１】本発明の撮像装置の実施形態の一例であるデジタルカメラを背面側から見た概略図である。
【図２】図１に示すデジタルカメラの制御系を説明するブロック図である。
【図３】（ａ）は被検知物体が接眼センサに接近しているときの接眼センサの出力値と第１の閾値、第２の閾値及び増加変化速度閾値との関係を示すグラフ図、（ｂ）は被検知物体が接眼センサから離れているときの接眼センサの出力値と第１の閾値、第２の閾値及び減少変化速度閾値との関係を示すグラフ図である。
【図４】（ａ）は、被検知物体が接眼センサに接近しているときの接眼センサの出力値と、第１の閾値、第２の閾値及び増加変化速度閾値と、本体表示部及びファインダ内表示部の表示状態との関係を示す図である。（ｂ）は、被検知物体が接眼センサから離れているときの接眼センサの出力値と、第１の閾値、第２の閾値及び減少変化速度閾値と、本体表示部及びファインダ内表示部の表示状態との関係を示す図である。
【図５】本体表示部の画像表示状態からの接眼センサの検知情報に基づく表示制御処理について説明するフローチャート図である。
【図６】ファインダ内表示部の画像表示状態からの接眼センサの検知情報に基づく表示制御処理について説明するフローチャート図である。
【発明を実施するための形態】
【００１２】
以下、図面を参照して、本発明の実施形態の一例を説明する。
【００１３】
図１は、本発明の撮像装置の実施形態の一例であるデジタルカメラを背面側から見た概略図である。
【００１４】
本実施形態のデジタルカメラは、図１に示すように、カメラ本体１の正面側（紙面裏側）に、不図示のレンズユニットが設けられ、カメラ本体１の上面部には、電源ボタン２やレリーズボタン３等が設けられている。また、カメラ本体１の背面側には、液晶パネル等の本体表示部４が設けられ、本体表示部４の図の右側には、各種操作ボタン群５が設けられている。カメラ本体１は、本発明の装置本体の一例に相当する。
【００１５】
レリーズボタン３は、操作途中（半押し操作等）で不図示の第１レリーズスイッチ（ＳＷ１）がオンとなり、操作完了（全押し操作等）で不図示の第２レリーズスイッチ（ＳＷ２）がオンとなる。第１レリーズスイッチ（ＳＷ１）のオン動作により、ＡＦ処理、ＡＥ処理、ＡＷＢ処理、ＥＦ処理等の撮影準備動作が開始され、第２レリーズスイッチ（ＳＷ２）のオン動作により、露光処理、現像処理、圧縮伸長処理、及び記録処理等の撮影動作が開始される。
【００１６】
カメラ本体１の上面部略中央には、ファインダ部１７が設けられている。ファインダ部１７の背面側には、電子ビューファインダ（ＥＶＦ）として機能する液晶パネル等のファインダ内表示部６、及び光学式の接眼センサ７が設けられている。接眼センサ７は、ファインダ部１７への接眼動作を検知するための接眼検知用のセンサである。また、ファインダ部１７の側面には、本発明の視度調整部の一例としての視度調整用ダイアル８が設けられている。
【００１７】
図２は、図１に示すデジタルカメラの制御系を説明するブロック図である。図２において、電源供給部１１は、デジタルカメラに電源を供給する。ＣＰＵ１２は、デジタルカメラ全体の制御を司る。本体表示部４には、撮影画像の他にシャッタ速度や絞り数値、撮影枚数及びメニュー等が表示される。撮像部１３は、ＣＣＤセンサやＣＭＯＳセンサ等で構成される撮像素子を含み、レンズユニットの撮影光学系を通過した被写体光束が結像し、結像した被写体像を光電変換して画像処理部１４に出力する。
【００１８】
画像処理部１４は、撮像部１３から出力された画像データに対して所定の画像処理を施す。記憶部１５は、撮影画像を記録するメモリカード等の記録媒体の他に、ＲＡＭやＲＯＭ等を含む。操作部１８には、前述した電源ボタン２やレリーズボタン３及び各種操作ボタン群５が含まれる。ファインダ部１７は、前述した接眼センサ７及びファインダ内表示部６の他に、視度調整用ダイアル８の操作状態を検出する視度調整検出部８ａを有する。
【００１９】
接眼センサ７は、不図示の赤外発光レンズ窓、受光レンズ窓、赤外発光素子及び受光素子から構成され、赤外発光光が被検出物体（人等）で反射し、その反射分散した光を受光レンズ窓で集光して受光素子で光電変換を行う。このため、赤外発光素子に一定の電流を流した場合、被検知物体が接眼センサ７に近いほど反射光が多く、光電変換後の電圧値が増大する。逆に、被検知物体が接眼センサ７から遠いほど反射光が少なく光電変換後の電圧値が減少するため、接眼センサ７で検知した電圧値に対して閾値が高いと検知距離が短くなり、閾値が低いと検知距離が長くなる。
【００２０】
次に、図３乃至図６を参照して、デジタルカメラの動作を説明する。図３（ａ）は被検知物体が接眼センサ７に接近しているときの接眼センサ７の出力値と第１の閾値、第２の閾値及び増加変化速度閾値との関係を示すグラフ図である。図３（ｂ）は被検知物体が接眼センサ７から離れているときの接眼センサ７の出力値と第１の閾値、第２の閾値及び減少変化速度閾値との関係を示すグラフ図である。
【００２１】
図３（ａ）において、線図Ｓ１は被検知物体が接眼センサ７に対し比較的高速で接近している場合の接眼センサ７の出力値の増加変化を示し、線図Ｓ２は被検知物体が接眼センサ７に対し比較的低速で接近している場合の接眼センサ７の出力値の増加変化を示す。また、増加変化速度閾値は、線図Ｓ１と線図Ｓ２との間に設定され、増加変化速度閾値を境にして被検知物体が接眼センサ７に対して比較的高速で接近しているか比較的低速で接近しているかを判断する。
【００２２】
図３（ｂ）において、線図Ｓ３は被検知物体が接眼センサ７から比較的高速で離れている場合の接眼センサ７の出力値の減少変化を示し、線図Ｓ４は被検知物体が接眼センサ７から比較的低速で離れている場合の接眼センサ７の出力値の減少変化を示す。また、減少変化速度閾値は、線図Ｓ３と線図Ｓ４との間に設定され、減少変化速度閾値を境にして被検知物体が接眼センサ７から比較的高速で離れているか比較的低速で離れているかを判断する。
【００２３】
ここで、本実施形態では、接眼センサ７に対し被検知物体が約５ｃｍの位置にあるときの接眼センサ７の出力値（電圧値）を第１の閾値に設定している。また、接眼センサ７に対し被検知物体が約２ｃｍの位置にあるときの接眼センサ７の出力値（電圧値）を第２の閾値に設定しており、第２の閾値＞第１の閾値の関係になっている。
【００２４】
図４（ａ）は、被検知物体が接眼センサ７に接近しているときの接眼センサ７の出力値と、第１の閾値、第２の閾値及び増加変化速度閾値と、本体表示部４及びファインダ内表示部６の表示状態との関係を示す図である。
【００２５】
図４（ａ）に示すように、被検知物体が接眼センサ７に接近している場合、接眼センサ７の出力値が第１の閾値及び第２の閾値以下のとき、第１の閾値を超え増加変化速度閾値及び第２の閾値以下のとき、本体表示部４が画像表示状態となる。また、接眼センサ７の出力値が第１の閾値及び第２の閾値を超え増加変化速度閾値以下のとき、第１の閾値及び増加変化速度閾値を超えたとき、ファインダ内表示部６が画像表示状態となる。
【００２６】
図４（ｂ）は、被検知物体が接眼センサ７から離れているときの接眼センサ７の出力値と、第１の閾値、第２の閾値及び減少変化速度閾値と、本体表示部４及びファインダ内表示部６の表示状態との関係を示す図である。
【００２７】
図４（ｂ）に示すように、被検知物体が接眼センサ７から離れている場合、接眼センサ７の出力値が第１の閾値及び第２の閾値を超えたとき、第１の閾値を超え減少変化速度閾値及び第２の閾値以下のとき、ファインダ内表示部６が画像表示状態となる。また、接眼センサ７の出力値が第１の閾値、第２の閾値及び減少変化速度閾値以下のとき、減少変化速度閾値を超え第２の閾値以下のとき、本体表示部４が画像表示状態となる。
【００２８】
図５は、本体表示部４の画像表示状態からの接眼センサ７の検知情報に基づく表示制御処理について説明するフローチャート図であり、図３（ａ）及び図４（ａ）に対応している。図５の各処理は、記憶部１５のＲＯＭ等に記憶されたプログラムがＲＡＭに展開されて、ＣＰＵ１２により実行される。
【００２９】
図５において、ステップＳ５０１では、ＣＰＵ１２は、撮像部１３から取り込んだ画像を本体表示部４に表示し、ステップＳ５０２に進む。ステップＳ５０２では、ＣＰＵ１２は、接眼センサ７に撮影者が接近して接眼センサ７の出力値が第１の閾値を超えたか否かを判断し、第１の閾値を超えていない場合は、ステップＳ５０１に戻り、第１の閾値を超えている場合、ステップ５０３へ進む。
【００３０】
ステップ５０３では、ＣＰＵ１２は、接眼センサ７の出力値が増加変化速度の閾値を超えて増加しているか否かを判断する。そして、ＣＰＵ１２は、接眼センサ７の出力値が増加変化速度の閾値を超えて増加している場合は、ステップＳ５０５に進み、そうでない場合は、ステップＳ５０４に進む。
【００３１】
ステップ５０４では、ＣＰＵ１２は、接眼センサ７の出力値が第２の閾値を超えたか否かを判断し、超えた場合は、ステップＳ５０５に進み、超えていない場合は、ステップＳ５０１に戻る。ステップ５０５では、ＣＰＵ１２は、本体表示部４を消灯して表示を終了し、ステップ５０６に進む。ステップ５０６では、ＣＰＵ１２は、ファインダ内表示部６に画像を表示し（図４（ａ）参照）、ステップＳ５０７に進む。
【００３２】
ステップＳ５０７では、ＣＰＵ１２は、視度調整検出部８ａにより視度調整用ダイアル８が操作されたことが検出されたかを判断する。そして、ＣＰＵ１２は、視度調整用ダイアル８が操作されたことが検出されない場合は、ファインダ内表示部６に画像を表示した状態で処理を終了し、検出された場合は、撮影者がファインダ部１７を覗いている状態と判断してステップＳ５０８に進む。ここでは、撮影者が眼鏡を装着した撮影者に交代して視度調整用ダイアル８が操作された場合を想定している。
【００３３】
ステップＳ５０８では、ＣＰＵ１２は、接眼センサ７の出力値が所定値以内か否かを判断し、所定値以内でない場合は、ステップ５０７に戻り、所定値以内の場合は、撮影者がファインダ部１７を覗いている状態を継続していると判断し、ステップ５０９に進む。ここでの所定値は、第２の閾値より小さい値である。
【００３４】
ステップ５０９では、ＣＰＵ１２は、視度調整用ダイアル８の操作を行ってからの経過時間が所定時間を経過したかを判断し、所定時間を経過していない場合は、ステップ５０７に戻り、所定時間を経過している場合は、ステップ５１０に進む。ここで、眼鏡を装着した撮影者がファインダ部１７を覗いている状態であると確定する。
【００３５】
ステップ５１０では、眼鏡の装着の有無に関わらず、検知距離を一定にする為、ＣＰＵ１２は、接眼センサ７の出力値（所定値以内）に応じて第２の閾値を変更し、処理を終了する。ここでは、眼鏡を装着している状態での接眼センサ７の出力値は小さくなるので、第２の閾値を下げることで眼鏡の装着の有無に関わらず検知距離を一定にしている。なお、ステップＳ５０７において、視度調整用ダイアル８の操作に代えて、レリーズボタン３の半押し操作等を行っているかを判断して眼鏡を装着した撮影者がファインダ部１７を覗いている状態であると確定するようにしてもよい。
【００３６】
このように、本実施形態では、接眼センサ７の出力値が第１の閾値を超える速度を検出することで、撮影者が素早くファインダ部１７を覗いた場合には、速くファインダ内表示部６に画像を表示することができる。逆に、撮影者がゆっくりとファインダ部１７を覗いた場合には、表示切り替えを速く行う必要がないので、本体表示部４からファインダ内表示部６への画像の表示切り替えをゆっくりと行う。これにより、本体表示部４からファインダ内表示部６への画像の表示切り替えを撮影者に違和感を与えることなくスムーズに行うことができる。
【００３７】
図６は、ファインダ内表示部６の画像表示状態からの接眼センサ７の検知情報に基づく表示制御処理について説明するフローチャート図であり、図３（ｂ）及び図４（ｂ）に対応している。図６の各処理は、記憶部１５のＲＯＭ等に記憶されたプログラムがＲＡＭに展開されて、ＣＰＵ１２により実行される。
【００３８】
図６において、ステップ６０１では、ＣＰＵ１２は、ファインダ内表示部６に画像を表示し、ステップＳ６０２に進む。ステップＳ６０２では、ＣＰＵ１２は、撮影者が接眼センサ７から離れて接眼センサ７の出力値が第２の閾値以下となったか否かを判断し、第２の閾値以下となった場合は、ステップＳ６０３に進み、第２の閾値を超えている場合は、ステップＳ６０１に戻る。
【００３９】
ステップＳ６０３では、ＣＰＵ１２は、接眼センサ７の出力値が減少変化速度の閾値を超えて減少しているか否かを判断する。そして、ＣＰＵ１２は、接眼センサ７の出力値が減少変化速度の閾値を超えて減少している場合は、ステップＳ６０５に進み、そうでない場合は、ステップＳ６０４に進む。
【００４０】
ステップＳ６０４では、ＣＰＵ１２は、接眼センサ７の出力値が第１の閾値以下となったか否かを判断し、接眼センサ７の出力値が第１の閾値以下となった場合は、ステップＳ６０５に進み、第１の閾値を超えている場合は、ステップＳ６０１に戻る。
【００４１】
ステップＳ６０５では、ＣＰＵ１２は、ファインダ内表示部６を消灯して表示を終了し、ステップＳ６０６に進む。ステップ６０６では、ＣＰＵ１２は、本体表示部４に画像を表示し（図４（ｂ）参照）、処理を終了する。
【００４２】
このように、本実施形態では、接眼センサ７の出力値が第２の閾値以下となる速度を検出することで、撮影者が素早くファインダ部１７から離れた場合には、速く本体表示部４に画像を表示することができる。逆に、撮影者がゆっくりとファインダ部１７から離れた場合には、表示切り替えを速く行う必要がないので、ファインダ内表示部６から本体表示部４への画像の表示切り替えをゆっくりと行う。これにより、ファインダ内表示部６から本体表示部４への画像の表示切り替えを撮影者に違和感を与えることなくスムーズに行うことができる。
【００４３】
以上説明したように、本実施形態では、接眼センサ７を用いた本体表示部４とファインダ内表示部６との間の画像の表示切り替えを撮影者に違和感を与えることなくスムーズに行うことができる。
【００４４】
また、本実施形態では、接眼センサ７に対して素早く接近した場合の検知距離に比べて接眼センサ７から素早く離れた場合の検知距離を短くしている。これにより、本体表示部４からファインダ内表示部６への画像の表示切り替え、及びファインダ内表示部６から本体表示部４への画像の表示切り替えを違和感なくスムーズに行うことができる。
【００４５】
なお、本発明は、上記実施形態に例示したものに限定されるものではなく、本発明の要旨を逸脱しない範囲において適宜変更可能である。
【００４６】
また、本発明は、以下の処理を実行することによっても実現される。即ち、本発明は、上述の実施形態の１以上の機能を実現するプログラムをネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４７】
１  カメラ本体
３  レリーズボタン
４  本体表示部
６  ファインダ内表示部
７  接眼センサ
８  視度調整用ダイアル
８ａ  視度調整検出部
１２  ＣＰＵ
１３  撮像部
１５  記憶部
１７  ファインダ部
【図１】
2017085353.tif 000003
【図２】
2017085353.tif 000004
【図３】
2017085353.tif 000005
【図４】
2017085353.tif 000006
【図５】
2017085353.tif 000007
【図６】
2017085353.tif 000008